(57)【特許請求の範囲】
【請求項１】
リモコンと該リモコンにより遠隔操作される装置とからなるリモコンの設定システムであって、
前記リモコンは、
複数種類のコード出力を設定可能な入力ボタンと、
前記入力ボタンに設定する前記コード出力が複数記憶されている記憶手段と、
前記入力ボタンに設定する前記コード出力を前記記憶手段から選択する選択ボタンと、
前記選択ボタンで選択された前記コード出力を前記入力ボタンに設定することを決定する決定ボタンと、
前記決定ボタンで決定された前記コード出力が含まれる決定信号を前記装置へ送信する送信手段と、を有し、
前記装置は、
前記決定信号を受信する受信手段と、
受信した前記決定信号に含まれる前記コード出力に関する表示画面を出力する出力手段と、を有し、
前記決定ボタンが１回目に押下された際に、前記受信手段が前記決定信号を１回受信すると前記出力手段が前記コード出力に決定してよいか確認する旨の画面を出力し、
前記決定ボタンが２回目に押下されると前記選択ボタンで選択された前記コード出力が前記入力ボタンに設定され、かつ前記受信手段が前記決定信号を２回受信すると前記出力手段が前記コード出力で決定された旨の画面を出力することを特徴とするリモコンの設定システム。
【請求項２】
前記記憶手段は、
前記複数種類のコードの種類をそれぞれ特定する複数の識別子が、基準となる番地から順に格納された操作／設定変換テーブルと、
前記複数の識別子のそれぞれに対応する複数の信号コードが格納された設定／信号変換テーブルと、を有し、
前記選択ボタンの出力が前記基準となる番地からの相対移動量であり、
前記送信手段は、
前記操作／設定変換テーブルから前記選択ボタンの出力に応じた番地の識別子を取得する操作／設定情報変換部と、
前記操作／設定情報変換部にて取得した識別子に対応する種類のコード出力で前記入力ボタンを仮設定する内部設定更新部と、
前記設定／信号変換テーブルを参照して、前記内部設定更新部にて仮設定されたコード出力の識別子に対応する信号コードを取得し、該取得した信号コードに基づく仮設定信号を前記決定信号として前記装置へ送信する信号生成部と、を有し、
前記内部設定更新部が、前記本設定を行う旨の入力がなされると、前記信号生成部に対して、前記入力ボタンに現在仮設定しているコード出力の識別子に基づく本決定信号の生成を指示し、
前記信号生成部が、前記設定／信号変換テーブルを参照して、前記入力ボタンに現在仮設定しているコード出力の識別子に対応する信号コードを取得して、該取得した信号コードを含む前記本決定信号を生成し、該生成した本決定信号を前記決定信号として前記装置へ送信する、請求項１に記載のリモコンの設定システム。
【請求項３】
リモコンと該リモコンにより遠隔操作される装置とを有するシステムにおいて行われるリモコンの設定方法であって、
前記リモコンが、入力ボタンに設定可能な複数種類のコード出力を記憶し、選択ボタンからの入力を受け付けて、前記記憶手段に格納された複数種類のコード出力から前記入力ボタンに設定するコード出力を選択し、決定ボタンからの入力を受け付けて、前記選択ボタンで選択された前記コード出力を前記入力ボタンに設定することを決定し、前記決定ボタンで決定された前記コード出力が含まれる決定信号を前記装置へ送信するステップと、
前記装置が、前記決定信号を受信し、受信した前記決定信号に含まれる前記コード出力に関する表示画面を出力するステップと、
前記決定ボタンが１回目に押下された際に、前記装置が、前記決定信号を１回受信すると、前記コード出力に決定してよいか確認する旨の画面を出力するステップと、
前記決定ボタンが２回目に押下されると、前記リモコンが、前記選択ボタンで選択された前記コード出力を前記入力ボタンに設定し、かつ、前記装置が、前記決定信号を２回受信すると前記コード出力で決定された旨の画面を出力するステップと、を有することを特徴とするリモコンの設定方法。
【発明の詳細な説明】
【技術分野】
【０００１】
本発明は、テレビジョン（以下、単にテレビと記す）への出力を有する装置のリモートコントロール装置（以下、単にリモコンと記す）のプリセットを行うシステムおよび方法に関する。ここで、テレビ出力を有する装置は、例えばＨＤＤ（Hard Disk Drive）レコーダ、ＤＶＤ（Digital Video Disk）レコーダ、ＶＣＲ（Video Cassette Recorder）などのレコーダの他、ＤＶＤプレーヤーやＢＳチューナなど、テレビと接続される各種装置を含む。
【背景技術】
【０００２】
一般に、ＶＣＲ（ＶＴＲ（Video Tape Recorder）やビデオデッキを含む）などの装置に付属するリモコンは、外部接続機器であるテレビのチャンネルや音量等の操作も行うことができるようになっている。テレビは製造会社や機種によって対応するリモコン信号が異なるため、利用者は、リモコンでテレビを操作する際は、使用しているテレビのメーカーに合わせてリモコンの設定を変更する、いわゆるプリセットを行う必要がある。このリモコンのプリセットでは、普段のボタン操作では使用されることのないボタン操作、具体的には、電源ボタンなどの特定のボタンを押しながら、チャンネル番号ボタン（例えば「０」〜「１２」のボタン）を押すといった操作で、使用しているテレビの製造会社のコード（メーカーコード）を設定する。通常、利用者は、ボタンとコードの対応関係を連想することができないため、マニュアルに添付されているメーカーコード対照表（メーカー名とコードの一覧表）を参照しながらプリセットを行っていた。
【０００３】
しかし、上記のようなマニュアルを使用したプリセットでは、電池切れなどによってリモコンの設定内容が初期値に戻る度に、利用者は、マニュアルを探してリモコンをプリセットする必要があり、非常に不便である。また、マニュアルを紛失した場合には、プリセットを行うこと自体ができなくなってしまう、といった不都合もある。
【０００４】
そこで、マニュアルなしで、リモコンのプリセットが可能なものが提案されている。例えば、特許文献１には、ＶＴＲが、リモコンからリモコン信号を受信すると、その受信したリモコン信号が自ＶＴＲ用リモコンからの信号であるかどうかを判断し、異なる場合に、その受信したリモコン信号に基づいて予め用意されているテーブル（リモコンによって制御される装置のメーカーをリモコン信号から特定可能なもの）を参照してリモコンのメーカーを特定し、自ＶＴＲ用リモコンをその特定したメーカーへ対応させるためのプリセットの操作手順を表示するものが記載されている。利用者は、表示された手順にしたがって、ＶＴＲ用リモコンのプリセットを行う。
【０００５】
上記の他、特許文献２に記載されているようなリモコンのプリセット方法もある。このプリセット方法では、プリセット時に、プリセットリモコンをＶＴＲ本体にワイヤにより接続し、ＶＴＲ本体側で、プリセットに必要な項目を表示させるとともに、利用者が、その表示項目に必要な情報を選択入力により設定する。ＶＴＲ本体に設けられている項目選択キーを操作することで表示部にメーカー名が順次表示されるようになっており、利用者は、この表示にしたがって所望のメーカーを選択することができる。必要な項目に情報を入力した後、ＶＴＲ本体に設けられている実行キーを押すと、各項目の内容がＶＴＲ本体からプリセットリモコンへ転送されてプリセットが完了する。
【特許文献１】特開２０００−１２３５５９号公報
【特許文献２】特開平４−２６７６９６号公報
【発明の開示】
【発明が解決しようとする課題】
【０００６】
上述したように、マニュアルを使用したプリセットでは、電池切れの度にマニュアルを探してリモコンをプリセットする必要があり、また、マニュアルを紛失した場合には、プリセットを行うこと自体ができなくなってしまうため、非常に不便である。加えて、利用者は、チャンネル番号ボタンと特定のボタンの組み合わせでメーカーコードを指定する場合に、指定したコードがどのメーカーのものであるかを確認することができないため、誤ったコードでプリセットを行うことがある。
【０００７】
特許文献１に記載のものにおいては、ＶＴＲ用リモコンをプリセットするためには、使用しているテレビのリモコンが必要であり、このテレビのリモコンが故障した場合には、ＶＴＲ用リモコンのプリセットを行うことができない、といった不具合を生じる。
【０００８】
特許文献２に記載のものにおいては、プリセット時に、プリセットリモコンをＶＴＲ本体にワイヤにより接続する必要があるため、非常に面倒である。
【０００９】
本発明の目的は、上記問題を解決し、メーカーコードを簡単、かつ、確実にリモコンに設定することのできる、システムおよび方法を提供することにある。
【課題を解決するための手段】
【００１０】
上記目的を達成するため、本発明は、リモコンと該リモコンにより遠隔操作される装置とからなるリモコンの設定システムであって、前記リモコンは、複数種類のコード出力を設定可能な入力ボタンと、前記入力ボタンに設定する前記コード出力が複数記憶されている記憶手段と、前記入力ボタンに設定する前記コード出力を前記記憶手段から選択する選択ボタンと、前記選択ボタンで選択された前記コード出力を前記入力ボタンに設定することを決定する決定ボタンと、前記決定ボタンで決定された前記コード出力が含まれる決定信号を前記装置へ送信する送信手段と、を有し、前記装置は、前記決定信号を受信する受信手段と、受信した前記決定信号に含まれる前記コード出力に関する表示画面を出力する出力手段と、を有し、前記決定ボタンが１回目に押下された際に、前記受信手段が前記決定信号を１回受信すると前記出力手段が前記コード出力に決定してよいか確認する旨の画面を出力し、前記決定ボタンが２回目に押下されると前記選択ボタンで選択された前記コード出力が前記入力ボタンに設定され、かつ前記受信手段が前記決定信号を２回受信すると前記出力手段が前記コード出力で決定された旨の画面を出力することを特徴とする。
【００１１】
上記の本発明の構成においては、利用者がリモコン上で複数種類のコード出力のいずれかの種類（具体的にはメーカー名）を選択すると、その選択された種類のコード出力で特定のボタンが仮設定されるとともに、その仮設定されたコード出力の種類が画面（具体的にはＴＶ画面）に表示される。これにより、利用者は、コード出力の種類を画面上で確認することが可能となり、マニュアルや他のリモコン（テレビ用リモコン）を使用することなく目的のコード出力（目的のメーカーコード出力）を設定することができる。加えて、コード出力の種類の画面への表示は、遠隔操作（具体的には赤外線通信）により行われるので、リモコンと装置をワイヤにより接続する必要はない。
【００１２】
また、上記の仮設定されたコード出力の種類の画面への表示では、詳しくは後述の実施形態で説明するが、リモコンと装置の位置関係やリモコンの装置に対する向きによっては、装置がリモコンからの信号をうまく受信できずに、リモコンに現在仮設定されているコード出力の種類と異なるコード出力の種類が画面に表示されることがある。このような場合、画面に表示されたコード出力の種類が、リモコンに現在仮設定されているコード出力の種類であると判断して本設定を行うと、利用者がリモコンに本体設定したと思ったコード出力とは異なるコード出力が設定されることになる。上記の本発明の構成においては、リモコン上で本設定を行う旨の入力を行うと、現在仮設定しているコード出力の種類が画面に再表示されるので、利用者は、現在仮設定しているコード出力の種類を画面上で確認することができる。よって、表示された画面にしたがって操作する限り、利用者は、目的のコード出力をリモコンに設定することができる。
【００１３】
本発明の別の特徴は、前記リモコンが、相対的な入力操作に応じて前記複数種類のコード出力から前記特定のボタンを仮設定するためのコード出力を順次決定するように構成した点にある。この構成によれば、利用者は、例えば「＋／−」ボタンや十字キーなどの相対的な入力操作可能なボタンを用いて入力操作を行うことで、リモコンに設定したいコード出力の種類を画面上で簡単に選択することが可能となる。
【発明の効果】
【００１４】
上記の通りの本発明によれば、マニュアル、他のリモコン、ワイヤなどを使用する不便さを解消することができ、また、コード出力の種類（メーカー名）を画面上で確認しながらリモコンに設定することができるので、操作性および確実性が向上する、という効果がある。
【００１５】
加えて、相対的な入力操作でコード出力の種類を画面上で簡単に選択することができるので、操作性がより向上し、使い勝手の良いシステムを提供することができる。
【発明を実施するための最良の形態】
【００１６】
図１に、本発明の一実施形態であるリモコンの設定システムの概略構成を示す。このリモコンの設定システムは、装置本体１と、この装置本体１を遠隔操作するリモコン２とからなる。装置本体１は、例えば、ＨＤＤレコーダ、ＶＣＲ、ＤＶＤプレーヤー、ＢＳチューナーなどのテレビ出力を有する装置であって、その主要部は、信号受信処理部１０、信号／表示内容変換テーブル１１および表示画面生成部１２からなる。リモコン２は装置本体１に付属のものであって、その主要部は、ボタン操作部２０、操作／設定情報変換部２１、操作／設定変換テーブル２２、内部設定更新部２３、信号生成部２４および設定／信号変換テーブル２５からなる。
【００１７】
まず、リモコン２の各構成部について具体的に説明する。ボタン操作部２０には、各操作ボタンが配置されており、ユーザは、これら操作ボタンを操作することで、特定のボタンに任意のメーカーコードを設定（以下、このコード設定をプリセットという）したり、リモコン制御を行ったりすることができる。図２に、ボタン操作部２０の一例を示す。この例では、ボタン操作部２０は、装置本体１を制御するための装置本体用ボタン群２０ａおよび装置本体１に接続される外部接続機器であるテレビを制御するためのテレビ用ボタン群２０ｂとからなる。装置本体用ボタン群２０ａは、電源ボタンやチャンネル番号ボタンの他、リモコン設定ボタン２００、設定決定ボタン２０１、「＋／−」ボタン２０２などを含む。「＋／−」ボタン２０２は、例えばチャンネル選択用ボタンや音量調節用ボタンと併用可能である。リモコン設定ボタン２００は、プリセットを行うモードに移行させるためのボタンである。リモコン２では、このリモコン設定ボタン２００が押されると、プリセットモードへ移行するとともに、設定開始信号を装置本体１へ送信してプリセットに必要な画面（メーカー名一覧を含む）を表示させた後、後述する操作／設定情報変換部２１、内部設定更新部２３および信号生成部２４によるプリセット動作が行われる。設定決定ボタン２０１は、そのプリセット動作で設定された内容を確定してモードを通常モード（プリセットモード移行前のモード）に戻すためのボタンである。テレビ用ボタン群２０ｂは、電源ボタン、チャンネル選択および音量調節用の「＋／−」ボタンを含む。ここでは、このテレビ用ボタン群２０ｂを、外部接続機器として接続されるテレビに対応するようにプリセットする。
【００１８】
操作／設定情報変換部２１は、「＋／−」ボタン２０２における「＋」ボタン（上ボタン）または「−」ボタン（下ボタン）の入力操作に応じたＴＶメーカーの識別子を操作／設定変換テーブル２２から取得する。図３に、操作／設定変換テーブル２２の一例を示す。この例では、操作／設定変換テーブル２２は、「１」〜「ｎ」の番地を有し、「１」の番地から順番に、識別子として「Ａ社」、「Ｂ社」、「Ｃ社」が格納され、最後の「ｎ」の番地に識別子として「ＸＸ社」が格納されている。この操作／設定変換テーブル２２の各番地に格納されているメーカー識別子は、いずれもプリセットによる対応が可能なＴＶメーカーのコードと対応している。操作／設定情報変換部２１は、プリセットモードに移行後、「＋／−」ボタン２０２の「＋」ボタンまたは「−」ボタンが押されると、操作／設定変換テーブル２２の「１」番地に格納されている識別子を読み出して内部設定更新部２３へ送信する。この後は、その「１」番地を基準に、「＋」ボタンが押される度に、読み出す番地が１つずつ繰り上がって、その番地に格納されている識別子が内部設定更新部２３へ送信される。反対に、「−」ボタンが押された場合は、読み出す番地が繰り下がり、その番地に格納されている識別子が内部設定更新部２３へ送信される。
【００１９】
内部設定更新部２３は、操作／設定情報変換部２１から供給されたメーカー識別子に基づいて、テレビ用ボタン群２０ｂの設定を仮設定するとともに、そのメーカー識別子を信号生成部２４へ送信して仮設定したメーカーを特定する仮設定信号を生成させる。また、内部設定更新部２３は、ボタン操作部２０にて、設定決定ボタン２０１が押されると、現在仮設定しているメーカーで本決定されたことを示す本決定信号を信号生成部２５に生成させる。
【００２０】
信号生成部２５は、内部設定更新部２３からメーカー識別子を受信した場合は、その受信したメーカー識別子に基づいて設定／信号変換テーブル２５を参照して仮設定したメーカーを特定可能な仮設定信号を生成して装置本体１へ送信する。図４に、設定／信号変換テーブル２５の一例を示す。この例では、設定／信号変換テーブル２５は、操作／設定変換テーブル２２に格納されているメーカー識別子のそれぞれについて、メーカーを特定可能な仮設定信号コードが格納されている。例えば、メーカー識別子Ａの欄にはＡ社を特定可能な仮設定信号コードＡが格納され、メーカー識別子Ｂ社の欄にはＢ社を特定可能な仮設定信号コードＢが格納され、「Ｃ社」の欄にはＣ社を特定可能な仮設定信号コードＣが格納されている。例えば、信号生成部２５は、内部設定更新部２３からメーカー識別子Ａを受信した場合には、設定／信号変換テーブル２５からその受信したメーカー識別子Ａに対応する仮設定信号コードＡを取得し、その取得した仮設定信号コードＡに基づく仮設定信号を生成する。この他、信号生成部２５は、内部設定更新部２３から本決定信号生成の要求を受信した場合は、現在仮設定されているメーカーで決定する旨の本決定信号を生成して装置本体１へ送信する。この本決定信号は、例えば現在仮設定されているメーカーの仮設定信号にこの仮設定信号によって特定されるメーカーで決定する旨の指示信号を付与したものである。信号生成部２５から装置本体１への信号の送信は、遠隔操作に用いられる赤外線通信を利用する。
【００２１】
次に、装置本体１の各構成部について具体的に説明する。装置本体１にはリモコン２に設定可能な各ＴＶメーカー名が予め登録されており、信号受信処理部１０は、リモコン２から設定開始信号を受信することで、その登録されているＴＶメーカー名の一覧の画面内容を表示画面生成部１２へ送信する。また、信号受信処理部１０は、信号生成部２０から送信された仮決定信号が装置本体１にて受信されると、その受信した信号に基づいて、信号／表示内容変換テーブル１１から表示画面内容を取得して表示画面生成部１２へ送信する。図５に、信号／表示内容変換テーブル１１の一例を示す。この例では、信号／表示内容変換テーブル１１は、設定／信号変換テーブル２５に格納されている仮設定信号コードのそれぞれについて、対応するメーカー名での強調画面の内容が格納されている。強調画面としては、例えばＡ社の強調画面であれば、「Ａ社」という表示を、Ｂ社の強調画面であれば、「Ｂ社」という表示をそれぞれ強調したものとなる。また、信号受信処理部１０は、装置本体１にて信号生成部２０からの本決定信号が受信されると、その受信した本決定信号に含まれている仮設定信号に基づいて、信号／表示内容変換テーブル１１から表示画面内容を取得し、この表示画面内容のメーカーで決定する旨の内容（メーカー決定画面内容）を表示画面生成部１２へ送信する。なお、ＴＶメーカー名の一覧画面内容は、信号／表示内容変換テーブル１１に格納されている各メーカー名の強調画面から取得するようにしてもよい。
【００２２】
表示画面生成部１２は、信号受信処理部１０から供給された画面内容に対応する表示画面（映像信号）を生成し、この生成した表示画面を装置本体１に接続されているテレビへ出力してＴＶ画面に表示させる。例えば、信号受信処理部１０からＴＶメーカー名の一覧画面内容を受信した場合は、表示画面生成部１２はＴＶメーカー名の一覧の表示画面を生成し、これをテレビへ出力してＴＶ画面上に表示させる。また、信号受信処理部１０からＡ社の強調画面の内容を受信した場合は、表示画面生成部１２は、「Ａ社」という表示がＴＶメーカー名の一覧の表示画面上で強調された表示画面を生成し、これをテレビへ出力してＴＶ画面上に表示させる。
【００２３】
上述したＴＶメーカー名の一覧画面、メーカー名の強調画面、メーカー決定画面などのＴＶ画面のへの表示は、ＧＵＩ（Graphical User Interface）による表示であり、例えば、利用者は、リモコン２上でボタン操作を行うことで、一覧画面上で、メーカー名を強調表示させ、その強調表示を順次隣接するメーカー名に移動させることで、任意のメーカー名を選択することができる。
【００２４】
装置本体１に格納されるＴＶメーカー名の一覧は、リモコン２の操作／設定変換テーブル２２に格納さている各社の識別子と一対一で対応するメーカー名からなり、画面上に表示されたメーカー名の並びは、操作／設定変換テーブル２２の番地の順序と一致する。また、「＋／−」ボタンによる操作／設定変換テーブル２２の番地の選択方向は、画面上における強調表示の移動方向（フォーカス移動方向）と一致する。具体的には、図２に示したような「＋／−」ボタンによる番地の選択が行われる場合は、画面上の基準となる位置に「Ａ社」が表示され、そこから画面上方向に向かって「Ｂ社」、「Ｃ社」・・・、画面下方向に向かって「ＸＸ社」、「ＸＹ社」・・・といった具合に複数のメーカー名が表示される。この場合、「＋」ボタンを押せば、画面上方向に向かってフォーカス移動し、「−」ボタンを押せば画面下方向に向かってフォーカス移動する。なお、ＴＶメーカー名の一覧表示には、１画面内に全メーカー名を表示させる表示形態と、スクロール表示形態のいずれを用いてもよいが、メーカー名の数が多い場合は、見易さからの面でスクロール表示形態をもちいることが望ましい。
【００２５】
次に、本実施形態のリモコンの設定システムの動作について説明する。
【００２６】
図６に、リモコン２の動作を説明するためのフローチャートを示す。図６を参照すると、まず、リモコン設定ボタンが押されたかどうか判断される（ステップＳ１０）。この判断で「Ｙｅｓ」となった場合は、設定開始信号を装置本体１へ送信してプリセットモードへ移行し（ステップＳ１１）、「Ｎｏ」となった場合は、ステップＳ１０を繰り返す。
【００２７】
プリセットモードへ移行すると、続いて、「＋」または「−」のボタンが押されたか否かが判断される（ステップＳ１２）。この判断で「Ｎｏ」となった場合は、ステップＳ１３を繰り返し、「Ｙｅｓ」となった場合は、操作／設定変換テーブル２２からメーカー識別子を取得して仮設定し、設定／信号変換テーブル２５からその仮設定したメーカーの仮設定信号コードを取得し、その取得したコードに基づく仮設定信号を生成して装置本体１へ送信する（ステップＳ１３）。
【００２８】
仮設定信号を送信すると、続いて、決定ボタンが押されたか否かが判断される（ステップＳ１４）。この判断で「Ｎｏ」となった場合は、ステップＳ１３に戻り、「Ｙｅｓ」となった場合は、本決定信号を生成して装置本体１へ送信する（ステップＳ１５）。
【００２９】
図７に、装置本体１の動作を説明するためのフローチャートを示す。装置本体１では、リモコン２から信号を受信すると（ステップＳ２０）、受信信号が設定開始信号か否かが判断される（ステップＳ２１）。この判断で「Ｙｅｓ」となった場合は、予め用意されているＴＶメーカー名の一覧画面をＴＶ画面に表示させる（ステップＳ２２）。この後、ステップＳ２０に戻る。
【００３０】
上記ステップＳ２１の判断で「Ｎｏ」となった場合は、受信信号が仮設定信号か否かが判断される（ステップＳ２３）。この判断で「Ｙｅｓ」となった場合は、受信した仮設定信号に基づいて信号／表示内容変換テーブル１１から表示画面内容を取得してＴＶ画面に表示させる（ステップＳ２４）。この後、ステップＳ２０に戻る。
【００３１】
上記ステップＳ２３の判断で「Ｎｏ」となった場合は、続いて、本決定信号であるか否か判断される（ステップＳ２５）。この判断で「Ｙｅｓ」となった場合は、受信した本決定信号に含まれている仮設定信号に基づいて、信号／表示内容変換テーブル１１から表示画面内容を取得し、この表示画面内容のメーカーで決定する旨のメーカー決定画面（確定画面）をＴＶ画面に表示させる（ステップＳ２６）。「Ｎｏ」となった場合は、受信した信号に応じた通常リモコン動作を行い（ステップＳ２７）、その後、ステップＳ２０に戻る。
【００３２】
以上の処理によれば、プリセットモード移行後、「＋」または「−」のボタンが押されるたび、一覧画面上で、プリセットするメーカー名の強調表示が順に移動する。例えば、プリセットモード移行後、「＋」のボタンを３回押す場合は、まず、１回目のボタン操作で、操作／設定変換テーブル２２の「１」番地に格納されているメーカー識別子（Ａ社）に対応する仮設定信号がリモコン２から装置本体１へ送信され、装置本体１が、その仮設定信号に基づいてＴＶ画面にＡ社を強調した画面を表示させる。続く２回目のボタン操作では、操作／設定変換テーブル２２の「２」番地に格納されているメーカー識別子（Ｂ社）に対応する仮設定信号がリモコン２から装置本体１へ送信され、装置本体１が、その仮設定信号に基づいてＴＶ画面にＢ社を強調した画面を表示させる。続く３回目のボタン操作では、操作／設定変換テーブル２２の「３」番地に格納されているメーカー識別子（Ｃ社）に対応する仮設定信号がリモコン２から装置本体１へ送信され、装置本体１が、その仮設定信号に基づいてＴＶ画面にＣ社を強調した画面を表示させる。こうして、「＋」のボタンが押されるたびに、一覧画面上で「Ａ社」、「Ｂ社」、「Ｃ社」といった順で強調表示される。また、「−」のボタンが押された場合には、識別子を取得する操作／設定変換テーブル２２の番地が繰り下がることになるので、例えば、一覧画面上で「Ｃ社」が強調表示されている状態で、「−」のボタンが１回押されると、「Ｃ社」に代わって「Ｂ社」が強調表示されることになる。よって、ユーザは、「＋」および「−」のボタンを操作することで、リモコン２のプリセットを任意に仮設定し、その仮設定したメーカー名をＴＶ画面上で確認することができる。
【００３３】
また、ユーザは、設定決定ボタン２０２（図１参照）を押すことで、その仮設定したメーカー名でリモコン２のプリセットを確定することができる。この確定に際して、ＴＶ画面上に、確定したメーカー名が表示されるので、ユーザは、その表示から、確定したメーカーを確認することができる。なお、誤って違うメーカーを確定した場合は、リモコン設定ボタンを再度押して、もう一度設定を行うことになる。
【００３４】
ところで、赤外線通信では、リモコン２と装置本体１の位置関係や装置本体１に対するリモコン２の向きによっては、装置本体１は、リモコン２からの信号を受信できない場合がある。上記のプリセット設定中に、装置本体１がリモコン２からの信号を受信できない状態が生じると、ＴＶ画面上で強調表示されているメーカー名が、ユーザがボタン操作により指定したメーカー名、すなわちリモコン２に仮設定されているメーカーと異なることになる。このような場合は、ユーザは、ボタン操作したにもかかわらず、ＴＶ画面上に表示されているメーカー名の強調表示が移動しないため、リモコン２からの信号が装置本体１にて受信されなかったと判断することができる。そして、強調表示が移動するまで、「＋」または「−」のボタンを操作することで、ＴＶ画面上で強調表示されているメーカーとリモコン２に仮設定されているメーカーとを合致させることができる。
【００３５】
以下に、リモコン２のプリセット設定中における不受信の問題を回避する動作例を説明する。ここでは、操作／設定変換テーブル２２の「２」番地に格納されている識別子Ｂに対応するＢ社にプリセットする場合を例に説明する。
【００３６】
ユーザは、プリセットを行う場合は、まず、リモコン２上でリモコン設定ボタン２００を押す。リモコン設定ボタン２００が押されると、リモコン２は、プリセットモードに移行し、装置本体１にはＴＶメーカ名の一覧が表示される。プリセットモード移行後、ユーザは、仮設定を行うために「＋」または「−」のボタンを押す。「＋」または「−」のボタンが押されると、リモコン２は、自リモコン内のテレビ用ボタン２０ｂの設定をＡ社に仮設定するとともに、Ａ社の識別子に対応する仮設定信号を装置本体１へ送信する。装置本体１は、リモコン２から仮設定信号（Ａ社）を受信すると、一覧画面上の「Ａ社」の強調画面を表示する。
【００３７】
ＴＶ画面にＡ社の強調画面が表示されると、ユーザは、続いて、「＋」ボタンを押す。「＋」ボタンが押されると、リモコン２は、自リモコン内のテレビ用ボタン２０ｂの設定をＢ社に仮設定するとともに、Ｂ社の識別子に対応する仮設定信号を装置本体１へ送信する。ここでは、このリモコン２から送信された仮設定信号（Ｂ社）が装置本体１にて不受信となるものとする。装置本体１では、仮設定信号（Ｂ社）を受信していないため、ＴＶ画面には「Ａ社」の強調画面の表示がそのまま維持される。このため、一覧画面上で強調表示されているメーカー名と、リモコン２に仮設定されているメーカーとが異なることになる。
【００３８】
ユーザは、「＋」ボタンを押したにもかかわらず、「Ａ社」の強調画面が表示されたままであるため、仮設定信号（Ｂ社）の不受信に気づき、再度、「＋」ボタンを押す。「＋」ボタンが押されると、リモコン２は、自リモコン内のテレビ用ボタン２０ｂの設定をＣ社に仮設定するとともに、Ｃ社の識別子に対応する仮設定信号を装置本体１へ送信する。装置本体１は、リモコン２から仮設定信号（Ｃ社）を受信すると、一覧画面上で「Ｃ社」を強調表示する。この結果、一覧画面上では、強調表示が「Ａ社」から「Ｂ社」を飛ばして「Ｃ社」へと移動することになる。
【００３９】
「Ｃ社」の強調表示後、ユーザは、強調表示を「Ｂ社」へ移動させるために「−」ボタンを押す。「−」ボタンが押されると、リモコン２は、自リモコン内のテレビ用ボタン２０ｂの設定をＢ社に仮設定するとともに、Ｂ社の識別子に対応する仮設定信号を装置本体１へ送信する。装置本体１は、リモコン２から仮設定信号（Ｂ社）を受信すると、一覧画面上で「Ｂ社」を強調表示させる。
【００４０】
強調表示された「Ｂ社」は、プリセット使用としているメーカー名であるので、ユーザは、この時点で設定決定ボタン２０１を押す。設定決定ボタン２０１が押されると、リモコン２は、自リモコン内のテレビ用ボタン２０ｂの設定をＢ社で決定し、Ｂ社の識別子に対応する仮設定信号を含む本決定信号を装置本体１へ送信する。装置本体１は、リモコン２から本決定信号を受信すると、ＴＶ画面に例えば「Ｂ社で確定しました」といった画面を表示する。
【００４１】
上述した動作により、装置本体１が仮設定信号を受信できなかった場合でも、ユーザは、それを認識して確実に目的のメーカーにリモコン２をプリセットすることができる。
【００４２】
なお、上記の仮設定信号の不受信時の動作において、リモコン２側がＢ社に仮設定され、一覧画面に「Ａ社」の強調表示がなされている状態で、ユーザが、リモコン２をＡ社で設定するために、設定決定ボタンを押した場合には、装置本体１は、本決定信号（指示信号＋仮設定信号（Ｂ））に基づいて、例えば「Ｂ社で確定しました」といった画面を表示するので、ユーザは、その表示から、リモコン２が目的のメーカーとは異なるメーカーでプリセットされたことに気づく。
【００４３】
また、本決定信号でメーカーを確定する前に、確定しようとしているメーカー名で本当によういかどうかを確認する画面をＴＶ画面に表示させるようにしてもよい。この場合は、ユーザは、設定決定ボタンを２回押すことで、メーカー名を確定することになる。以下に、その場合の動作を簡単に説明する。
【００４４】
リモコン２がＢ社に仮設定され、ＴＶ画面に「Ｂ社」が表示されている状態で、ユーザが設定決定ボタンを押すと、リモコン２は、現在仮設定されているメーカーの仮設定信号（Ｂ社）にこの仮設定信号によって特定されるメーカーで決定してもよいかどうかを確認する旨の指示信号を付与した確認信号を装置本体１へ送信する。装置本体１は、リモコン２から確認信号を受信すると、その受信した確認信号に含まれている仮設定信号（Ｂ社）に基づいて、信号／表示内容変換テーブル１１から表示画面内容を取得し、この表示画面内容のメーカーで決定してもよいかどうかの表示内容（確認画面内容）をＴＶ画面に表示させる。この表示にしたがって、ユーザは、メーカーを確定する場合は、設定決定ボタンを押し、そうでない場合は、リモコン２のボタン操作部２０に用意されているキャンセルボタンを押す。設定決定ボタンを押した場合は、装置本体１側では、本決定信号に基づいてＴＶ画面に「Ｂ社で確定しました」といった画面の表示が行われるとともに、リモコン２側では本設定が行われる。キャンセルボタンを押した場合は、１回目の設定決定ボタンの押下前の状態に戻り、一覧画面上での他のメーカーの選択を引続き行うことが可能となる。
【００４５】
一例として、図８に、上記の確認画面の表示を含む動作の流れを模式的に示す。「＋」ボタンが押されることで、「Ａ社」が強調表示される（図８（ａ））。続いて、「＋」ボタンが押されることで、「Ｂ社」が強調表示される（図８（ｂ））。ここで、設定決定ボタンが押されると（１回目）、「Ｂ社で決定してもよいですか？」という確認画面が表示され（図８（ｃ））、続けて設定決定ボタンが押されると（２回目）、「Ｂ社に設定しました。」という決定画面が表示される（図８（ｄ））。
【００４６】
上述した本実施形態のリモコンの設定システムによれば、例えば図８に示したように、リモコンに設定可能なメーカー名の一覧がＴＶ画面上に表示され、利用者は、リモコン上で「＋／−」ボタンを操作することで、その一覧の中かリモコンに設定すべきメーカー名を選択し、決定することができる。よって、利用者は、マニュアルがなくてもリモコンさえあれば、所望のメーカーコードを簡単に設定することができる。
【００４７】
また、設定決定時には、リモコンに現在仮設定されているコードのメーカー名がＴＶ画面上に表示されるので、利用者は、リモコンに目的のメーカーコードを確実に設定することができる。
【００４８】
上記の特徴の他、大掛かりな仕様変更なしに、これまで使用されていたＧＵＩ表示機能の利便性を生かして、メーカーコードの選択（フォーカス移動）、決定を実現している点も、重要な特徴の１つである。
【００４９】
以上説明した本実施形態のリモコンの設定システムは、本発明の一例であり、その構成および動作は本発明の趣旨を逸脱しない範囲で適宜変更することが可能である。例えば、ボタン操作部は、図２に示したものに限られるものではなく、様々なボタンの配置や操作が可能である。具体的には、テレビ用ボタン群２０ｂを持たず、プリセットするボタンが装置本体用ボタン群２０ａの特定のボタンであってもよい。また、リモコン設定ボタン２００は基本的にはモード移行および設定開始信号の送信を行うきっかけとなるボタンであるので、電源ボタンやチャンネル番号ボタンを組み合せた、普段行われないボタン操作で、そのリモコン設定ボタン２００による操作を代用してもよい。さらに、設定決定ボタンと「＋／−」ボタンによる一連の操作を、リモコンの典型的なボタン配置として知られている決定ボタンと十字キーを使用した操作で実現してもよい。この場合、ＧＵＩ表示による様々な処理（メーカー名の選択、決定、その他の必要な処理）を決定ボタンと十字キーで実行することができる。また、キャンセルボタンを別途設けても良い。
【図面の簡単な説明】
【００５０】
【図１】本発明の一実施形態であるリモコンの設定システムの概略構成を示すブロック図である。
【図２】図１に示すリモコンのボタン操作部の一例を示す模式図である。
【図３】操作／設定変換テーブルの一例を示す図である。
【図４】設定／信号変換テーブルの一例を示す図である。
【図５】信号／表示内容変換テーブルの一例を示す図である。
【図６】図１に示すリモコンの動作を説明するためのフローチャートである。
【図７】図１に示す装置本体の動作を説明するためのフローチャートである。
【図８】（ａ）〜（ｄ）は、図１に示す装置本体の動作を説明するための模式図である。
【符号の説明】
【００５１】
１  装置本体
２  リモコン
１０  信号受信処理部
１１  信号／表示内容変換テーブル
１２  表示画面生成部
２０  ボタン操作部
２０ａ  装置本体用ボタン群
２０ｂ  テレビ用ボタン群
２１  操作／設定情報変換部
２２  操作／設定変換テーブル
２３  内部設定更新部
２４  信号生成部
２５  設定／信号変換テーブル
２００  リモコン設定ボタン
２０１  設定決定ボタン
２０２  「＋／−」ボタン
【図１】
0003931986.tif 000002
【図２】
0003931986.tif 000003
【図３】
0003931986.tif 000004
【図４】
0003931986.tif 000005
【図５】
0003931986.tif 000006
【図６】
0003931986.tif 000007
【図７】
0003931986.tif 000008
【図８】
0003931986.tif 000009